(57)【要約】【課題】通信ネットワークを利用した映像監視装置において、成りすまし行為によって偽映像が送信されたことを簡単に検出する。【解決手段】  撮像によって得られる映像信号を通信ネットワークに供給する撮像部と、前記通信ネットワークから前記映像信号を取得してこれを表示する映像表示部とに加えて、制御信号を送信する制御信号送信部と、前記制御信号を受信する制御信号受信部と、前記制御信号受信部によって受信された制御信号に応じて、前記撮像部の撮影範囲内において形態変化する形態変化部と、を含む映像監視装置。【選択図】図１
2008199174.tif 000002
【特許請求の範囲】
【請求項１】
撮像によって得られる映像信号を通信ネットワークへ供給する撮像部と、前記映像信号を前記通信ネットワークから取得してこれを映像として表示する映像表示部と、を含む映像監視装置であって、
制御信号を送信する制御信号送信部と、
前記制御信号送信部から送信された制御信号を受信する制御信号受信部と、
前記制御信号受信部によって受信された制御信号に応じて前記撮像部の撮像範囲内において時間の経過と共に形態が変化する形態変化部と、を含むことを特徴とする映像監視装置。
【請求項２】
前記形態変化部は、
可変輝度にて発光する発光素子と、
前記制御信号に応じて前記発光素子の発光輝度を時間の経過と共に変化せしめる駆動部と、を含むことを特徴とする請求項１に記載の映像監視装置。
【請求項３】
前記発光素子は可変発光色にて発光し、前記駆動部は前記制御信号に応じて前記発光素子の発光色を時間の経過と共に変化せしめることを特徴とする請求項２に記載の映像監視装置。
【請求項４】
前記形態変化部は、
可動部材と、
前記制御信号に応じて前記可動部材を時間の経過と共に移動せしめる駆動部と、を含むことを特徴とする請求項１に記載の映像監視装置。
【請求項５】
前記制御信号送信部は前記制御信号をジグビー、ブルートゥース、小電力無線及び無線ＬＡＮの内のいずれかの信号伝送方式に従った信号形態にて前記制御信号受信部に送信することを特徴とする請求項１に記載の映像監視装置。
【発明の詳細な説明】
【技術分野】
【０００１】
本発明は撮像によって得られる映像信号を通信ネットワークから取得し、これを映像として表示して監視するための映像監視装置に関する。
【背景技術】
【０００２】
近年、従来のアナログＣＣＴＶ(closed circuit television)監視装置に代わって、通信ネットワークを利用した映像監視装置が導入され始めている。当該映像監視装置は例えば撮影した映像をＭＰＥＧ４(Moving Picture Coding Experts Group)規格若しくはＪＰＥＧ(Joint Photographic Coding Experts Group)規格に従って圧縮符号化するためのエンコーダ、通信ネットワークを介して送信された撮影映像を表示するための表示装置及び撮影映像を蓄積するための映像蓄積部などを組み合わせることによって実現されている。
【０００３】
通信ネットワークを利用した映像監視装置は例えば特許文献１及び２に開示されている。特許文献１には複数台のカメラから同時に映像データが送信されたときに映像データの総通信量が通信ネットワークの最大帯域負荷を超過してしまうことを回避するために、映像データの総通信量が規制値であるか否かを判別する手段を有し、当該総通信量が規制値以下である場合に映像データの送信を許可する映像監視装置が開示されている。特許文献２には動きの少ない動画像の動きベクトルを符号化することによって逆にデータ量が増加し、映像データの蓄積容量を増加させてしまうことを回避するために、カメラで撮影した映像に基づいて参照画像を生成し、当該生成された参照画像を用いて動画像を符号化する映像監視装置が開示されている。
【特許文献１】特開２００６−１６５９８９号公報
【特許文献２】特開２００６−１６５９２７号公報
【発明の開示】
【発明が解決しようとする課題】
【０００４】
しかしながら、特許文献１に開示されている映像監視装置は通信ネットワークの通信負荷を軽減可能であり、特許文献２に開示されている映像監視装置は映像データの蓄積容量を削減可能であるものの、上記した映像監視装置が抱えるいわゆる「成りすまし」の問題を解決することはできない。ここでの「成りすまし」とは例えば、通信ネットワークに接続された第三者の通信機器が映像監視装置のエンコーダに成りすまして偽映像を送信する、あるいは、第三者が映像監視装置に元々組み込まれていたカメラを別のカメラに摩り替えて当該別のカメラから偽映像を送信することである。これらの「成りすまし」は正常な映像監視活動を妨害する行為であるため、「成りすまし」の問題を技術的に解決する映像監視装置が要望されていた。
【０００５】
本発明は上記した如き問題に鑑みてなされたものであって、通信ネットワークを利用した映像監視装置において、成りすまし行為によって偽映像が送信されたことを簡単に検出可能な映像監視装置を提供することを目的とする。
【課題を解決するための手段】
【０００６】
本発明による映像監視装置は、撮像によって得られる映像信号を通信ネットワークへ供給する撮像部と、前記映像信号を前記通信ネットワークから取得してこれを映像として表示する映像表示部と、を含む映像監視装置であって、制御信号を送信する制御信号送信部と、前記制御信号送信部から送信された制御信号を受信する制御信号受信部と、前記制御信号受信部によって受信された制御信号に応じて前記撮像部の撮像範囲内において時間の経過と共に形態が変化する形態変化部と、を含むことを特徴とする。
【発明の効果】
【０００７】
本発明による映像監視装置によれば、制御信号送信部から送信された制御信号に基づき、形態変化部で制御信号に応じて撮像部の撮像範囲内において時間の経過と共に形態が変化しないときに、「成りすまし」によって偽映像が送信されたことを簡単に検出することができる。
【発明を実施するための最良の形態】
【０００８】
以下、本発明に係る実施例について添付の図面を参照しつつ詳細に説明する。
【実施例１】
【０００９】
図１は本発明による映像監視装置を表すブロック図である。
【００１０】
映像監視装置１は、制御信号送信部１１と、通信ネットワーク１２と、制御信号中継部１３−１〜ｎと、制御信号受信部１４−１〜ｎと、形態変化部１５−１〜ｎと、撮像部１６−１〜ｎと、圧縮符号化部１７−１〜ｎと、映像表示部１８と、映像蓄積部１９とを含む（ここでのｎは正整数）。
【００１１】
制御信号送信部１１は制御信号を形態変化部１５−１〜ｎの各々に送信する。制御信号は通信ネットワーク１２及び制御信号中継部１３−１〜ｎの各々を介して形態変化部１５−１〜ｎの各々に到達する（図１中のＣＳ及びＣＳ１〜ｎ）。ここでの制御信号は形態変化部１５−１〜ｎの内の少なくとも１の形態を変化させるための信号である。制御信号送信部１１は例えば映像を監視する監視オペレータによる制御入力があった場合に制御信号を送信する。
【００１２】
通信ネットワーク１２は制御信号や撮影された映像などを通信するインターネットなどの通信ネットワークである。
【００１３】
制御信号中継部１３−１は制御信号送信部１１から通信ネットワーク１２を介して送信された制御信号を形態変化部１５−１に中継する（同図中のＣＳ−１）。同図中においては制御信号中継部１３−１が形態変化部１５−１へ制御信号を例えばジグビー（Ｚｉｇｂｅｅ）などの無線で中継する場合の例を表している。制御信号中継部１３−２〜ｎの各々も制御信号中継部１３−１と同様の機能を備える。
【００１４】
図２は制御信号中継部１３−１の例を表すブロック図である。制御信号中継部１３−１は制御信号受信部２１−１と制御信号送信部２２−１とを含む。制御信号受信部２１−１は制御信号送信部１１から送信されて通信ネットワーク１２から到来した制御信号を受信して（図２中のＣＳ−１）、これを制御信号送信部２２−１に供給する（同図中のＲＥ）。制御信号送信部２２−１は制御信号受信部２１−１から受け取った制御信号を形態変化部１５−１に送信する（同図中のＣＳ−１）。また、制御信号受信部２１−１は制御信号受信部２１−１から受け取った制御信号の形式を変換してから形態変化部１５−１に送信することができる。例えば、通信ネットワーク１２から到来した制御信号がＩＰ形式の制御信号であった場合、制御信号受信部２１−１は当該ＩＰ形式の制御信号をジグビー形式の制御信号に変換してから形態変化部１５−１に送信する。制御信号送信部２２−１がジグビーなどの無線で制御信号を中継できるため、形態変化部１５−１が屋外に設置されている場合にも形態変化部１５−１の動作を制御することができる。制御信号中継部１３−２〜ｎの各々も制御信号中継部１３−１と同様の構成である。
【００１５】
制御信号受信部１４−１は制御信号送信部１１から送信された制御信号を受信する。本実施例においては制御信号中継部１３−１から中継された制御信号を受信し、これを形態変化部１５−１に供給する（同図中のＣＳ−１）。制御信号受信部１４−１は例えばジグビーなどの無線により中継された制御信号を受信できる。制御信号受信部１４−２〜ｎの各々も制御信号受信部１４−１と同様の構成である。
【００１６】
形態変化部１５−１は制御信号受信部１４−１によって受信された制御信号に応じて時間の経過と共に形態が変化する。形態変化部１５−１の形状変化は視覚的に確認できる変化であれば良い。また、形態変化部１５−１は撮像部１６−１の撮像範囲内に設置されていれば良く、特に目立たないように設置される必要はない。形態変化部１５−２〜ｎの各々も形態変化部１５−１と同様の機能を備え、撮像部１６−２〜ｎの各々の撮像範囲内に設置されている。
【００１７】
図３は形態変化部１５−１の例を表すブロック図である。形態変化部１５−１は発光素子３１−１、駆動部３２−１と、駆動電源３３−１とを含む。発光素子３１−１は可変輝度及び可変発光色にて発光する素子である。駆動部３２−１は制御信号に応じて発光素子３１−１の発光輝度若しくは発光色を時間の経過と共に変化せしめる（同図中のＭＬ）。駆動電源３３−１は駆動部３２−１に電気を供給する（同図中のＭＥ）。駆動電源３３−１は例えば充電可能なバッテリーなどである。形態変化部１５−１は無線により制御信号を受信可能な制御信号受信部１４−１及び外部からの電源供給を不用とする駆動電源３３−１を備えているため、屋外に設置された場合でも動作可能である。また、発光素子３１−１として省電力で動作可能な発光ダイオードを用いれば、形態変化部１５−１は屋外で長時間、動作することが可能である。形態変化部１５−２〜ｎの各々も形態変化部１５−１と同様の構成である。
【００１８】
撮像部１６−１は撮像によって得られる映像信号を通信ネットワーク１２へ送信する（同図中のＰＨ−１）。映像信号を圧縮符号化する場合には、撮像部１６−１は圧縮符号化部１７−１を経由して映像信号を通信ネットワーク１２へ送信する。撮像部１６−１は撮像範囲内に設置されている形態変化部１５−１を撮像している。撮像部１６−１は形態変化部１５−１のみを撮像対象とする必要は無く、撮像範囲の少なくとも１部に形態変化部１５−１が撮像されていれば良い。撮像部１６−１は例えばテレビカメラなどである。撮像部１６−２〜ｎの各々も撮像部１６−１と同様の機能を備える。
【００１９】
圧縮符号化部１７−１は撮像部１６−１から受け取った映像信号を圧縮符号化して通信ネットワーク１２へ送信する（同図中のＰＨ−１）。圧縮符号化部１７−１は例えばＭＰＥＧ４（Moving Picture Coding Experts Group）規格に従って映像信号を圧縮符号化する。圧縮符号化部１７−２〜ｎの各々も圧縮符号化部１７−１と同様の機能を備える。
【００２０】
映像表示部１８は撮像部１６−１〜ｎの各々によって送信された映像信号を通信ネットワーク１２から取得して（同図中のＷＴ）、これを映像として表示する。映像表示部１８は例えば映像監視室に備え付けられたモニタなどである。監視オペレータは映像表示部１８に表示される映像を監視できる。
【００２１】
映像蓄積部１９は撮像部１６−１〜ｎの各々によって送信された映像信号を通信ネットワーク１２からから取得して（同図中のＭＲ）、これを蓄積する。映像蓄積部１９は例えばハードディスクなどの記憶媒体を含む映像蓄積装置である。映像蓄積部１９が蓄積した映像を取り出して映像表示部１８に表示することもできる。
【００２２】
以下に映像監視装置１による「成りすまし」検出処理について説明する。ここでは形態変化部１５−１を動作制御の対象とする。また、形態変化部１５−１は図３に表される構成であるとする。
【００２３】
撮像部１６−１は撮像によって得られる映像信号を通信ネットワーク１２へ送信している。撮像の対象には形態変化部１５−１が含まれている。映像信号を圧縮符号化する場合には、撮像部１６−１は圧縮符号化部１７−１を経由して映像信号を通信ネットワーク１２へ送信している。映像表示部１８は映像信号を通信ネットワーク１２から取得してこれを映像として表示している。
【００２４】
先ず、監視オペレータは形態変化部１５−１に含まれる発光素子３１−１の輝度若しくは発光色を変化させる制御入力を制御信号送信部１１に入力する。制御信号送信部１１は監視オペレータによる制御入力に応じて、通信ネットワーク１２及び制御信号中継部１３−１を介して制御信号受信部１４−１に制御信号を送信する。ここでの制御信号は形態変化部１５−１に含まれる発光素子３１−１の輝度若しくは発光色を変化させる信号である。駆動部３２−１は制御信号が輝度の強化を表していれば発光素子３１−１の発光輝度を強め、制御信号が輝度の弱化を表していれば発光素子３１−１の発光輝度を弱める。また、駆動部３２−１は制御信号が発光色の変化を表していれば発光素子３１−１の発光色を変化させる。形態変化部１５−１は撮像部１６−１の撮像範囲内に設置されており、撮像部１６−１が発光素子３１−１のモノクロ若しくはカラー輝度変化の様子を撮像して得られた映像信号を通信ネットワーク１２へ送信している。映像表示部１８は撮像部１６−１によって送信された映像信号を通信ネットワーク１２から取得し、これを映像として表示している。ここでの映像表示部１８は発光素子３１−１のモノクロ若しくはカラー輝度変化の様子を映像として表示している。
【００２５】
監視オペレータは映像表示部１８に表示される発光素子３１−１のモノクロ若しくはカラー輝度変化の様子を映像で確認できる。監視オペレータは自身が、発光素子３１−１の輝度を強める制御入力をしたときに発光素子３１−１の輝度が強められた様子、あるいは、自身が発光素子３１−１の輝度を弱める制御入力をしたときに発光素子３１−１の輝度が弱められた様子を映像表示部１８に表示される映像で確認できれば、自身が行った制御入力が示す動作と形態変化部１５−１の形状変化が合致していることから、「成りすまし」が行われていないと容易に判断できる。また、監視オペレータは自身が行った制御入力通りに形態変化部１５−１が変化していないことを映像表示部１８に表示される映像で確認できれば、「成りすまし」が行われている可能性があると判断できる。制御入力通りに形態変化部１５−１が変化しない理由としては、撮像部１６−１のすり替え、圧縮符号化部１７−１の成りすまし、駆動電源３３−１の蓄電切れ及び形態変化部１５−１の持ち去りなどがあり得るが、監視オペレータはそのときの状況に応じて何らかの対処をすることができる。形態変化部１５−２〜ｎを動作制御の対象とした場合にも上記と同様の動作により、監視オペレータは「成りすまし」の可能性について判断できる。
【００２６】
上記した如く本実施例に拠る映像監視装置１は、先ず制御信号に応じて動作する形態変化部１５−１を撮像部１６−１の撮像範囲内に設置しておく。制御信号送信部１１は監視オペレータなどによる制御入力に基づいて通信ネットワーク１２及び制御信号中継部１３−１を介して制御信号を形態変化部１５−１に送信する。撮像部１６−１が制御信号に応じて変化する形態変化部１５−１を含めて撮像し、通信ネットワーク１２を介して当該撮像によって得られた映像信号を映像表示部１８−１に送信する。映像表示部１８−１は受け取った映像信号を映像として表示している。監視オペレータは自身が行った制御入力どおりに形態変化部１５−１が動作していないことを映像表示部１８−１に表示される映像に基づいて確認できれば、「成りすまし」によって偽映像が送信されたと判断できる。したがって、本実施例に拠れば、通信ネットワークを利用した映像監視装置において、「成りすまし」による偽映像の送信を簡単に検出できる。
【実施例２】
【００２７】
図４は電源制御部４０−１を含む形態変化部１５−１の例を表すブロック図である。
【００２８】
電源制御部４０−１は一方を駆動部３２−１と接続し（図４中のＰＬ）、他方を駆動電源３３−１と接続している（同図中のＰＥ）。電源制御部４０−１は制御信号受信部１４−１から供給された制御信号（同図中のＣＳ−１）に応じて駆動部３２−１と駆動電源３３−１との間の電流を導通または遮断する。電流が導通していれば駆動部３２−１は発光素子３１−１を発光させることができる。電流が遮断されれば駆動部３２−１は発光素子３１−１を発光させることができず、発光素子３１−１は非発光状態となる。ここでの駆動電源３３−１は例えばバッテリーでも良いし、屋内などに設置されている商用電源でも良い。形態変化部１５−２〜ｎの各々も図４に表される電源制御部４０−１と同様の電源制御部を含む。映像監視装置１における形態変化部１５−１〜ｎ以外のブロックは図１と同様であるため、ここでは説明を省略する。電源制御部４０−１自体は撮像部１６−１によって撮像されなくても良い。
【００２９】
以下に映像監視装置１による「成りすまし」検出処理について説明する。ここでは形態変化部１５−１を動作制御の対象とする。また、形態変化部１５−１は図４に表される構成であるとする。
【００３０】
撮像部１６−１は形態変化部１５−１を含めて撮像しており、当該撮像によって得られた映像信号を通信ネットワーク１２に送信している。映像信号を圧縮符号化する場合には、撮像部１６−１は圧縮符号化部１７−１を経由して映像信号を通信ネットワーク１２へ送信している。映像表示部１８は撮像部１６−１によって送信されて通信ネットワーク１２から到来した映像信号を映像として表示している。
【００３１】
先ず、監視オペレータは形態変化部１５−１を駆動する電源を投入または切断させる（すなわち、駆動部３２−１と駆動電源３３−１との間に流れる電流を導通または遮断させる）制御入力を制御信号送信部１１に入力する。制御信号送信部１１は監視オペレータによる制御入力に応じて、通信ネットワーク１２及び制御信号中継部１３−１を介して制御信号受信部１４−１に制御信号を送信する。
【００３２】
電源制御部４０−１は制御信号受信部１４−１から供給された制御信号に応じて駆動部３２−１と駆動電源３３−１との間に流れる電流を導通または遮断させる。電源制御部４０−１は、制御信号が導通を表すものであれば駆動部３２−１と駆動電源３３−１との間に流れる電流を導通し、制御信号が遮断を表すものであれば電流を遮断する。当該電流の導通及び遮断に伴い、形態変化部１５−１を駆動する電源が投入及び切断される。発光素子３１−１が発光しているときに、駆動部３２−１と駆動電源３３−１との間に流れる電流が遮断されると、発光素子３１−１は非発光状態になる。また、発光素子３１−１が非発光状態のときに駆動部３２−１と駆動電源３３−１との間に電流が導通されると、発光素子３１−１は発光する。
【００３３】
撮像部１６−１は形態変化部１５−１を含めて撮像している。また、撮像部１６−１は形態変化部１５−１が設置されている屋内の一部を撮影して、形態変化部１５−１の変化に伴う屋内の変化の様子を撮像しても良い。例えば、形態変化部１５−１が図４に表される構成の場合、撮像部１６−１は形態変化部１５−１が設置されている屋内の一部を撮影して、発光素子３１−１の発光及び非発光に伴う屋内の明暗の変化を撮像しても良い。映像表示部１８は撮像部１６−１によって送信された映像信号を通信ネットワーク１２から取得してこれを映像として表示している。ここでの映像表示部１８は発光素子３１−１の発光及び非発光の様子を映像として表示している。
【００３４】
監視オペレータは映像表示部１８に表示される形態変化部１５−１の変化を映像で確認できる。ここでの形態変化部１５−１を図４に表される構成とすると、発光素子３１−１の発光及び非発光の様子を映像で確認できる。監視オペレータは自身が、形態変化部１５−１の電源を投入させる制御入力をしたときに発光素子３１−１が発光を開始した様子、あるいは、自身が形態変化部１５−１の電源を切断させる制御入力をしたときに発光素子３１−１が非発光状態に遷移した様子を映像表示部１８に表示される映像で確認できれば、自身が行った制御入力が示す動作と形態変化部１５−１の変化が合致していることから、「成りすまし」が行われていないと容易に判断できる。また、監視オペレータは自身が行った制御入力通りに形態変化部１５−１が変化していないことを映像表示部１８に表示される映像で確認できれば、「成りすまし」が行われている可能性があると判断できる。制御入力通りに形態変化部１５−１が動作しない理由としては、撮像部１６−１のすり替え、圧縮符号化部１７−１の成りすまし及び電源制御部４０−１の持ち去りなどがあり得るが、監視オペレータはそのときの状況に応じて何らかの対処をすることができる。電源制御部４０−２〜ｎを電源制御の対象とした場合にも上記と同様の動作により、監視オペレータは「成りすまし」の可能性について判断できる。
【００３５】
上記した如く本実施例に拠る映像監視装置１は、先ず制御信号に応じて動作する形態変化部１５−１を撮像部１６−１の撮像範囲内に設置しておく。制御信号送信部１１は監視オペレータなどによる制御入力に基づいて通信ネットワーク１２及び制御信号中継部１３−１を介して制御信号を形態変化部１５−１に送信する。形態変化部１５−１に含まれる電源制御部４０−１は制御信号に応じて形態変化部１５−１を駆動させる電源を投入及び切断する。撮像部１６−１が制御信号に応じて変化する形態変化部１５−１を含めて撮像し、通信ネットワーク１２を介して当該撮像によって得られた映像信号を映像表示部１８−１に送信する。映像表示部１８−１は受け取った映像信号を映像として表示している。監視オペレータは自身が行った制御入力どおりに形態変化部１５−１が動作していないことを映像表示部１８−１に表示される映像に基づいて確認できれば、「成りすまし」によって偽映像が送信されたと判断できる。したがって、本実施例に拠れば、通信ネットワークを利用した映像監視装置において、「成りすまし」による偽映像の送信を簡単に検出できる。
【００３６】
本発明は上記した実施例の構成に限られるものではなく、特許請求の範囲に記載した範囲において変形実施が可能である。以下にその変形例について述べる。
【００３７】
通信ネットワーク１２はインターネットの他、例えばアナログ電話回線など、制御信号を伝送可能な通信ネットワークであれば良い。制御信号送信部１１から形態変化部１５−１〜ｎへの制御信号の伝達手段は、ジグビー（Ｚｉｇｂｅｅ）の他、例えばブルートゥース（ｂｌｕｅｔｏｏｔｈ）、小電力無線、無線ＬＡＮ(Local Area Network)などでも良い。
【００３８】
制御信号中継部１３−１〜ｎの各々を必ずしも、形態変化部１５−１〜ｎ及び撮像部１６−１〜ｎの各々に１台ずつ対応させて、複数台用意する必要はない。制御信号の到達範囲内に形態変化部１５−１〜ｎ及び撮像部１６−１〜ｎが設置されているのであれば、制御信号中継部１３−１を１台だけ設置しても良い。
【００３９】
制御信号の伝達手段としてジグビーあるいはブルートゥースを用いる場合、基地局やアクセスポイントの介在なしに端末間で相互に通信可能なアドホック通信機能を利用して、制御信号を形態変化部１５−１〜ｎの各々の間で順次、リレー伝達させることも可能である。
【００４０】
映像を圧縮符号化する方式はＭＰＥＧ４規格以外によっても良い。また、映像を圧縮符号化せずに通信ネットワーク１２に送信する場合には圧縮符号化部１７−１〜ｎは不要である。すなわち、圧縮符号化を用いない従来のアナログＣＣＴＶ監視装置にも本発明は適用可能である。
【００４１】
実施例１における形態変化部１５−１は図３に示される構成であり、制御信号に応じて発光素子３１−１の発光輝度若しくは発行色を変化するが、形態変化部１５−１はこれ以外の構成で、これとは異なる変化をなしても良い。例えば、形態変化部１５−１は可動部材と制御信号に応じて当該可動部材を時間の経過と共に移動せしめる駆動部とを含む構成でも良い。具体的には形態変化部１５−１は制御信号に応じて札を機械的に上下させるといった形態変化をなしても良い。形態変化部１５−２〜ｎについても同様である。
【００４２】
実施例２においては形態変化部１５−１を図４に表される構成とし、発光素子３１−１を駆動させる電源を制御信号に応じて投入及び切断したが、これ以外の構成でも良い。例えば、発光素子３１−１の代わりにディスプレイを含み、当該ディスプレイを駆動させる電源を投入及び切断しても良い。なお、このとき、ディスプレイはその表示画面を撮像部１６−１〜ｎに向けて設置される。形態変化部１５−２〜ｎについても同様である。
【図面の簡単な説明】
【００４３】
【図１】本発明による映像監視装置を表すブロック図である。
【図２】制御信号中継部の例を表すブロック図である。
【図３】形態変化部の例を表すブロック図である。
【図４】電源制御部を含む形態変化部の例を表すブロック図である。
【符号の説明】
【００４４】
１  映像監視装置
１１  制御信号送信部
１２  通信ネットワーク
１３−１〜ｎ  制御信号中継部
１４−１〜ｎ  制御信号受信部
１５−１〜ｎ  形態変化部
１６−１〜ｎ  撮像部
１７−１〜ｎ  圧縮符号化部
１８  映像表示部
１９  映像蓄積部
２１−１  制御信号受信部
２２−１  制御信号送信部
３１−１  発光素子
３２−１  駆動部
３３−１  駆動電源
４０−１  電源制御部
【図１】
2008199174.tif 000003
【図２】
2008199174.tif 000004
【図３】
2008199174.tif 000005
【図４】
2008199174.tif 000006